(57)【特許請求の範囲】
【請求項１】
操作用機器を引出しに載せて収納箱に出し入れする引出式収納装置において、引出しの前端に収納箱の開口部を閉じる扉を起伏自在に取り付け、扉に格納位置の引出しを収納箱に係止するラッチ機構を設け、ラッチ機構が収納箱の下部に係合して扉を起立姿勢に保持するための爪部材と、爪部材を持ち上げて収納箱から解離するためのハンドルとを備え、ハンドルを扉の前面に設け、扉を後方へ倒して前記操作用機器のハンドレストとして使用することを特徴とする引出式収納装置。
【請求項２】
前記引出しの後側において収納箱の内部に、操作用機器のケーブルを保持するためのケーブルハンガーを引出しに連動して折畳可能に備えたことを特徴とする請求項１記載の引出式収納装置。
【請求項３】
前記引出しの側部に、補助テーブルを引出しの機器載置板に重なる非使用位置と引出しの側方へ突出する使用位置とに前後方向の軸線周りで垂直回動可能に備えたことを特徴とする請求項１又は２記載の引出式収納装置。
【発明の詳細な説明】
【技術分野】
【０００１】
本発明は、キーボード等の操作用機器を引出しに載せて収納箱に出し入れする引出式収納装置に関する。
【背景技術】
【０００２】
従来、この種の収納装置を装備したラックが知られている。例えば、特許文献１には、図６に示すように、パソコン５１を載せる天板５２の下側に、引出式収納装置５３を組み込んだパソコンラック５４が記載されている。引出式収納装置５３は、キーボード５５を載せた引出し５６を収納箱５７の内外に出し入れ自在に備え、引出し５６の前端に扉５８が起伏自在に設けられている。そして、引出し５６を格納した状態で、扉５８により収納箱５７の開口部５９を閉じ、引出し５６を引き出した状態で、扉５８を倒してキーボード５５を操作するようになっている。
【特許文献１】特開２０００−１３９５８１号公報
【発明の開示】
【発明が解決しようとする課題】
【０００３】
従来の引出式収納装置５３によれば、倒した扉５８をハンドレストとして使用し、キーボード５５を楽に操作できる利点がある。しかし、従来装置５３は、引出し５６を出し入れするためのハンドルを備えていないうえ、接触や振動によって、引出し５６が知らないうちに迫り出したり、扉５８が不意に倒れたりする不都合があった。特に、通信機器や配電機器等の振動発生源を収めたキャビネットラックの場合は、迫り出した引出し５６や倒れた扉５８がラック本体の外扉に衝突する問題点があった。衝突を防ぐためには、引出し５６や扉５８を係止する部材が必要となるが、それぞれに係止部材を設けると、収納装置５３の部品点数が増えるばかりでなく、操作性も低下するという課題があった。
【０００４】
本発明の目的は、上記課題を解決し、扉付き引き出しの操作性および機能性を簡単な構成のラッチ機構で改善できる引出式収納装置を提供することにある。
【課題を解決するための手段】
【０００５】
上記課題を解決するために、本発明の引出式収納装置は、操作用機器を載せる引出しを収納箱の内外に出し入れ自在に備えている。引出しの前端には収納箱の開口部を閉じる扉が起伏自在に取り付けられ、扉に格納位置の引出しを収納箱に係止するラッチ機構が設けられている。ラッチ機構は、収納箱に係合して扉を起立姿勢に保持するための爪部材と、爪部材を収納箱から解離するためのハンドルとを備えている。ハンドルは、引出しのスライド操作に兼用できるように、扉の前面に設けられている。
【０００６】
また、本発明の引出式収納装置は、引出しの後側において収納箱の内部に、操作用機器のケーブルを保持するためのケーブルハンガーを備えている。ケーブルハンガーは、引出しに連動して折畳可能に構成されている。
【０００７】
さらに、本発明の引出式収納装置は、引出しの側部に、マウス等の補助器具を載せるための補助テーブルを備えている。補助テーブルは、引出しの左右どちらか一方または両方の側部に回動可能に設けられ、引出しの機器載置板に重なる非使用位置と、引出しの側方へ突出する使用位置とに配置される。
【発明の効果】
【０００８】
本発明の引出式収納装置によれば、ラッチ機構が引出しを格納位置に係止する機能と、扉を起立姿勢に保持する機能と、引出しをスライド操作する機能とを兼備しているので、一つのラッチ機構を扉に設けるだけの簡単な構成で、扉付き引出しの操作性および機能性を高めることができるという効果がある。
【０００９】
また、ケーブルハンガーが引出しに連動してケーブルを整然と屈伸するので、ケーブルの損傷を防止できるうえ、引出しをスムーズに出し入れできるという効果がある。
【００１０】
加えて、引出しの側部に補助テーブルを回動可能に設けたので、使用位置の補助テーブル上で補助機器を軽快に操作できるとともに、非使用位置の補助テーブルを引出しの機器載置板に重ねてコンパクトに格納できるという利点がある。
【発明を実施するための最良の形態】
【００１１】
以下、本発明の実施形態を図面に基づいて説明する。図１は引出式収納装置の全体的な構成を示す。この収納装置１は薄箱形の収納箱２と、操作用機器であるキーボード３を載せる引出し４とを備えている。収納箱２の天板５には、収納装置１をラックやテーブル等（図示略）のフレームに取り付けるための複数の取付穴６が設けられている。
【００１２】
なお、引出式収納装置１の設置形態は特に限定されず、例えば、収納箱２をキャビネットラックやパソコンラックの内部に設置したり、テーブルの上側または下側に設置したり、操作盤や計器盤と並べて設置したりすることができる。あるいは、引出式収納装置１を随所に持ち運び、単独で設置することも可能である。
【００１３】
引出し４はトレイ状の機器載置板７を備え、その左右両側面にレール８が固着されている。収納箱２の内壁面にはレール８を案内するガイド９が固着され、レール８とガイド９の組み合わせにより、引出し４が収納箱２に前後方向へスライド可能に支持され、キーボード３を収納箱２の内外に出し入れできるようになっている。
【００１４】
図２は収納箱２から天板５を取り外して引出し４の格納形態を示し、図３は引出し４の使用形態を示す。図４（Ａ）は図２の４Ａ−４Ａ線断面図であり、図４（Ｂ）は図３の４Ｂ−４Ｂ線断面図である。図５（Ａ）は図２の５Ａ−５Ａ線断面図であり、図５（Ｂ）は図３の５Ｂ−５Ｂ線断面図である。
【００１５】
機器載置板７の前端には、扉１１が左右一対の蝶番１２によって前後方向へ起伏自在に取り付けられている。扉１１は、収納箱２の前端開口部１３とほぼ同じ大きさで形成され、起立姿勢（図５Ａ参照）で開口部１３を閉じ、後方へ倒れた姿勢（図５Ｂ参照）で引出し４の平面積つまり作業領域を前方へ拡張するようになっている。
【００１６】
扉１１の左右方向中央部には、格納位置の引出しを収納箱２に係止するためのラッチ機構１４が設けられている。ラッチ機構１４は、扉１１に取り付けられたケーシング１５と、収納箱２に係合して扉１１を起立姿勢に保持するための爪部材１６と、爪部材１６を収納箱２から解離するためのハンドル１７とから構成されている。
【００１７】
収納箱２の前端下部には係止片１９が前方へ突設され、その突端部に係止穴２０が形成されている。爪部材１６の下端にはテーパ部２１が後向きの斜状に形成され、テーパ部２１と係止穴２０との係合により、格納位置の引出し４が収納箱２にスライド不能に係止されるとともに、扉１１が開口部１３を閉じた起立姿勢に保持される。
【００１８】
爪部材１６はケーシング１５に昇降可能に支持され、爪部材１６の上端にハンドル１７が扉１１の前面に露出するように設けられている。そして、引出し４の格納位置において、使用者が指をハンドル１７に掛け、爪部材１６を係止片１９から解離したのち、続けて引出し４を前方へ引き出すことができるようになっている。
【００１９】
引出し４の右側部には、マウス２２を載せるための補助テーブル２３が設けられている。補助テーブル２３は、引出し４の側壁２４（図４Ａ参照）に固着されたブラケット２５に支点軸２６を介して左右へ回動可能に支持され、機器載置板７の上面に重なる非使用位置と、引出し４の右方へ突出する使用位置（図４Ｂ参照）とに配置される。なお、補助テーブル２３の非使用位置を機器載置板７の下側とすることもできる。
【００２０】
図２、図３に示すように、引出し４の後側において収納箱２の内部には、キーボード３のケーブル２８とマウス２２のケーブル２９とを保持するためのケーブルハンガー３０が設けられている。ケーブルハンガー３０は前後二枚の帯板３１，３２を備え、帯板３１，３２の適宜箇所にケーブル２８，２９が結束具３３で保持されている。
【００２１】
前側の帯板３１の基端はヒンジ金具３４で引出し４の背板３５に枢着され、後側の帯板３２の基端がヒンジ金具３６で収納箱２の後壁板３７に枢着されている。両方の帯板３１，３２の自由端は連結金具３８で回動可能に連結され、ケーブルハンガー３０が引出し４の出し入れに連動して折畳可能に構成されている。
【００２２】
背板３５にはケーブル２８，２９を引出し４から帯板３１に引き出す切欠３９が形成され（図４参照）、同じ左右位置の後壁板３７にケーブル２８，２９を帯板３２から収納箱２の外部に引き出す配線穴４０が設けられている。そして、切欠３９と配線穴４０との間のスペースにおいて、ケーブル２８，２９の余剰部がケーブルハンガー３０によって屈伸される。
【００２３】
上記構成の引出式収納装置１によれば、次のような作用効果が得られる。
（ａ）ラッチ機構１４の爪部材１６により、引出し４を格納位置に係止し、同時に引出し４の扉１１を起立姿勢に保持することができる。
（ｂ）このため、収納装置１をキャビネットラック内に装備した場合でも、通信機器や配電機器等の振動によって、引出し４が迫り出したり、扉１１が倒れたりするおそれがなく、ラック本体側の外扉との衝突を確実に回避できる。
【００２４】
（ｃ）ラッチ機構１４のハンドル１７が扉１１の前面に露出しているので、使用者は、爪部材１６を解除し、扉１１を倒し、引出し４を引き出すという一連の操作をワンタッチで素早く行うことができる。
（ｄ）したがって、扉１１に一つのラッチ機構１４を設けただけの簡単な構成で、扉付き引出し４の操作性および機能性を高めることができる。
【００２５】
（ｅ）引出し４を出し入れするときには、ケーブルハンガー３０が引出し４の後側でケーブル２８，２９を整然と屈伸するので、ケーブル２８，２９の引っ掛かりや損傷を防止できるうえ、引出し４をスムーズにスライドさせることができる。
（ｆ）入力作業にあたっては、使用者は扉１１を後方に倒し、扉１１の上に手を載せ、キーボード３を楽に操作できる。
【００２６】
（ｇ）また、補助テーブル２３を使用位置に回動すれば、補助テーブル２３上でマウス２２を軽快に操作できる。
（ｈ）特に、非使用位置の補助テーブル２３は機器載置板７に重なるので、薄型の引出し４上に補助テーブル２３をコンパクトに装備することができる。
【図面の簡単な説明】
【００２７】
【図１】本発明の一実施形態を示す引出式収納装置の斜視図である。
【図２】収納装置を引出しの格納状態で示す平面図である。
【図３】引出しを前方へ引出した状態を示す平面図である。
【図４】収納装置のラッチ機構と補助テーブルを示す一部破断正面図である。
【図５】ラッチ機構の動作を示す引出しと扉の断面図である。
【図６】従来の引出式収納装置を示す斜視図である。
【符号の説明】
【００２８】
１    引出式収納装置
２    収納箱
３    キーボード
４    引出し
７    機器載置板
１１    扉
１３    収納箱の開口部
１４    ラッチ機構
１６    爪部材
１７    ハンドル
２２    マウス
２３    補助テーブル
２８    キーボードのケーブル
２９    マウスのケーブル
３０    ケーブルハンガー
【図１】
0005565760.tif 000002
【図２】
0005565760.tif 000003
【図３】
0005565760.tif 000004
【図４】
0005565760.tif 000005
【図５】
0005565760.tif 000006
【図６】
0005565760.tif 000007